(57)【要約】【課題】接続のための画像情報を正確に入力できる端末装置を提供する。【解決手段】情報端末と通信網を介して通信可能に接続する接続部４と、情報端末が端末装置１に接続するために必要な設定情報を出力させる指示を入力する入力部２と、入力部２が指示を入力した時に設定情報を含む画像情報を印刷出力する出力部３とを備える。出力部３は、情報端末から読み取り可能な２次元コードを印刷出力してもよい。出力部３は、設定情報の内容が変更された時に画像情報を印刷出力してもよい。【選択図】図１１
2014201022.tif 000002
【特許請求の範囲】
【請求項１】
情報端末と通信網を介して通信可能に接続する接続部と、
前記情報端末が前記装置に接続するために必要な設定情報を出力させる指示を入力する入力部と、
前記入力部が前記指示を入力した時に前記設定情報を含む画像情報を印刷出力する出力部とを備える
ことを特徴とする端末装置。
【請求項２】
出力部は、情報端末から読み取り可能な２次元コードを印刷出力する
請求項１記載の端末装置。
【請求項３】
出力部は、設定情報の内容が変更された時に画像情報を印刷出力する
請求項１または請求項２記載の端末装置。
【請求項４】
取得したときから所定時間経過すると設定情報を削除する削除手段を備える
請求項１から請求項３のうちのいずれか１項に記載の端末装置。
【請求項５】
情報端末と通信網を介して通信可能に接続される端末装置において実行される設定情報出力方法であって、
前記端末装置が、前記情報端末が前記装置に接続するために必要な設定情報を出力させる指示を入力し、
前記端末装置が、前記指示を入力した時に前記設定情報を含む画像情報を印刷出力する
ことを特徴とする設定情報出力方法。
【請求項６】
端末装置が、情報端末が読み取り可能な２次元コードを印刷出力する
請求項５記載の設定情報出力方法。
【請求項７】
ＤＨＣＰ機能を有するルータと、
複数の印刷装置と、
情報端末とを含み、
前記印刷装置は、
情報端末と前記ルータを介して通信可能に接続する接続部と、
前記情報端末が前記装置に接続するために必要な設定情報を出力させる指示を入力する入力部と、
前記入力部が前記指示を入力した時に前記設定情報を含む画像情報を印刷出力する出力部とを含み、
前記情報端末は、
前記画像情報を読み取って前記設定情報を取得する読み取り部を含む
ことを特徴とする通信システム。
【請求項８】
出力部は、情報端末が読み取り可能な２次元コードを印刷出力する
請求項７記載の通信システム。
【発明の詳細な説明】
【技術分野】
【０００１】
本発明は、端末装置、設定情報出力方法および通信システムに関する。
【背景技術】
【０００２】
通信網上に設置されているプリンタに動的ＩＰアドレスを割り当てると、前回の接続時とは異なるＩＰアドレスがプリンタに割り当てられる可能性がある。プリンタを利用する端末はプリンタに割り当てられているＩＰアドレスを知っている必要があるため、端末側の設定もＩＰアドレスの変更に合わせて変更することが求められる。そこで、プリンタには、通常固定ＩＰ（Ｉｎｔｅｒｎｅｔ  Ｐｒｏｔｏｃｏｌ）アドレスが割り当てられる。
【０００３】
プリンタに動的ＩＰアドレスが割り当てられている場合でも、プリンタを利用する端末は、プリンタ探索プロトコルを用いることで上記の課題を解決できる。プリンタ探索プロトコルは、通信網上に存在するプリンタの名称を取得できる通信手順である。
【０００４】
すなわち、プリンタに動的ＩＰアドレスが割り当てられていてもプリンタ探索プロトコルを使用すれば、ユーザは、通信網上に存在するプリンタの名称を取得できる。取得したプリンタ名称から、ユーザは、接続したいプリンタを選択でき、選択したプリンタと接続できる。動的ＩＰアドレスを割り当てる方法として、例えば、ルータ装置のＤＨＣＰ（Ｄｙｎａｍｉｃ  Ｈｏｓｔ  Ｃｏｎｆｉｇｕｒａｔｉｏｎ  Ｐｒｏｔｏｃｏｌ）機能を利用する方法がある。
【０００５】
図１２は、プリンタ探索機能を使用する端末装置の構成例を示すシステム構成図である。図１２において、ルータ１００は、情報端末４０、プリンタ２０およびプリンタ３０と通信可能に接続する。情報端末４０は、ルータ１００を介して通信網上に存在するプリンタ２０およびプリンタ３０を探索できる。
【０００６】
また、情報端末４０、プリンタ２０およびプリンタ３０は、それぞれプリンタ探索機能としてプリンタ探索プロトコルを有している。情報端末４０は、プリンタ探索プロトコルを使用して通信網上に設置されているプリンタの名称を検出できる。
【０００７】
図１２に示すように、通信網上にプリンタが複数設置されている場合、情報端末４０がプリンタ探索機能を使用すると、図１２の画面イメージに示すようにプリンタが複数検出される。
【０００８】
プリンタ探索機能によってプリンタが複数検出されたとき、接続したいプリンタを特定するために、ユーザには検出されたプリンタの名称と物理的なプリンタとの対応関係を把握していることが求められる。
【０００９】
図１２に示す例の場合、画面イメージには「Ｐｒｉｎｔｅｒ  α」と「Ｐｒｉｎｔｅｒ  β」が探索されたプリンタの名称として示されている。「Ｐｒｉｎｔｅｒ  α」はプリンタ２０の名称、「Ｐｒｉｎｔｅｒ  β」はプリンタ３０の名称である。
【００１０】
ユーザは、上記のプリンタ２０またはプリンタ３０とプリンタ名称との対応関係を把握していなければ、印刷したいプリンタの方に確実に印刷できない。このようにプリンタが複数検出された場合、ユーザにとってプリンタの選択が困難になるという問題がある。
【００１１】
また、プリンタ探索プロトコルを利用しない場合、プリンタに前回の接続時とは異なるＩＰアドレスが付与される度に、ユーザにはプリンタのＩＰアドレスとプリンタ接続に必要なネットワーク設定を手動で変更することが求められるという問題がある。
【００１２】
特許文献１には、画像を表示する画像表示装置と、画像表示装置に確実に接続できる画像情報を供給する携帯端末装置とから構成される画像表示システムが記載されている。
【先行技術文献】
【特許文献】
【００１３】
【特許文献１】特開２００７−３１２１７９公報
【発明の概要】
【発明が解決しようとする課題】
【００１４】
しかし、特許文献１に記載された画像表示システムでは、接続のための画像情報は投影される画像であり、携帯端末装置が正確に画像情報を入力することは難しい。
【００１５】
そこで、本発明は、接続のための画像情報を正確に入力できる端末装置、設定情報出力方法および通信システムを提供する。
【課題を解決するための手段】
【００１６】
本発明による端末装置は、情報端末と通信網を介して通信可能に接続する接続部と、情報端末が装置に接続するために必要な設定情報を出力させる指示を入力する入力部と、入力部が指示を入力した時に設定情報を含む画像情報を印刷出力する出力部とを備えることを特徴とする。
【００１７】
本発明による設定情報出力方法は、情報端末と通信網を介して通信可能に接続される端末装置において実行される設定情報出力方法であって、端末装置が、情報端末が装置に接続するために必要な設定情報を出力させる指示を入力し、端末装置が、指示を入力した時に設定情報を含む画像情報を印刷出力することを特徴とする。
【００１８】
本発明による通信システムは、ＤＨＣＰ機能を有するルータと、複数の印刷装置と、情報端末とを含み、印刷装置は、情報端末とルータを介して通信可能に接続する接続部と、情報端末が装置に接続するために必要な設定情報を出力させる指示を入力する入力部と、入力部が指示を入力した時に設定情報を含む画像情報を印刷出力する出力部とを含み、情報端末は、画像情報を読み取って設定情報を取得する読み取り部を含むことを特徴とする。
【発明の効果】
【００１９】
本発明によれば、接続のための画像情報を正確に入力できる。
【図面の簡単な説明】
【００２０】
【図１】本発明による端末装置の一実施形態の構成例を示すシステム構成図である。
【図２】プリンタ２００の第１の実施形態の構成例を示すブロック図である。
【図３】情報端末４００の第１の実施形態の構成例を示すブロック図である。
【図４】端末装置の第１の実施形態の接続処理の動作を示すフローチャートである。
【図５】プリンタ２００が出力する２次元コードの画像の例を示す説明図である。
【図６】プリンタ２００の第２の実施形態の構成例を示すブロック図である。
【図７】情報端末４００の第２の実施形態の構成例を示すブロック図である。
【図８】記憶部２０５に保存されているＩＰアドレス管理情報の一例を示す説明図である。
【図９】端末装置の第２の実施形態の接続処理の動作を示すフローチャートである。
【図１０】プリンタ２００が出力する２次元コードの画像の例を示す説明図である。
【図１１】本発明による端末装置の概要を示すブロック図である。
【図１２】プリンタ探索機能を使用する端末装置の構成例を示すシステム構成図である。
【発明を実施するための形態】
【００２１】
実施形態１．
以下、本発明の実施形態を図面を参照して説明する。図１は、本発明による端末装置の一実施形態の構成例を示すシステム構成図である。図１には、本発明による端末装置であるプリンタ２００およびプリンタ３００と、ルータ１００と、情報通信端末４００が示されている。また、プリンタ２００の名称は「Ｐｒｉｎｔｅｒ  α」、プリンタ３００の名称は「Ｐｒｉｎｔｅｒ  β」である。
【００２２】
ルータ１００は、情報通信端末４００、プリンタ２００およびプリンタ３００とそれぞれ通信可能に接続されている。
【００２３】
プリンタ２００およびプリンタ３００は、プリンタに割り当てられているＩＰアドレスと、プリンタと通信可能に接続するために必要なその他のネットワーク設定とを示す２次元コードを生成する。そして、プリンタ２００およびプリンタ３００は、生成した２次元コードを、印刷等の方法により出力する（ステップＳ１）。
【００２４】
情報端末４００は、出力された２次元コードを読み取る。そして、情報端末４００は、読み取った２次元コードを解析する（ステップＳ２）。
【００２５】
情報端末４００は、プリンタに接続する機能を有するプリンタ接続アプリケーションを含んでいる。情報端末４００が解析した後、プリンタ接続アプリケーションは、２次元コードに含まれているプリンタＩＰアドレスおよびネットワーク設定を取り込む（ステップＳ３）。その結果、情報端末４００は、読み取った２次元コードを出力したプリンタに接続できる。
【００２６】
本実施形態において、ユーザが利用したいプリンタへ近づきプリンタに２次元コードの出力を指示すると、指示されたプリンタは、上記のようにユーザの前で２次元コードを直接出力する。よって、プリンタが通信網上に複数存在する場合でも、ユーザは利用したいプリンタに迷うことなく接続できる。また、ユーザは、２次元コードを読み取ることで、情報端末にプリンタと接続するためのネットワーク設定を容易に行うことができる。
【００２７】
また、プリンタのＩＰアドレスが、プリンタが接続されているルータ装置のＤＨＣＰ機能により割り当てられている場合でも、ＩＰアドレスが変更される度にプリンタが２次元コードを出力すれば、ユーザは、情報端末から２次元コードを読み取るだけで容易にネットワーク設定を変更できる。
【００２８】
また、プリンタのＩＰアドレスが、プリンタが接続されているルータ装置のＤＨＣＰ機能により割り当てられていない場合も、出力される２次元コードには情報端末に設定するネットワーク設定が付加されているため、ユーザは、情報端末から２次元コードを読み取るだけで容易にネットワーク設定ができる。
【００２９】
次に、プリンタ２００の詳細な構成を図２を参照して説明する。図２は、プリンタ２００の第１の実施形態の構成例を示すブロック図である。なお、プリンタ３００の構成例は、プリンタ２００の構成例と同様である。
【００３０】
図２に示すプリンタ２００は、装置操作部２０１と、接続情報生成部２０２と、制御部２０３と、表示部２０４と、記憶部２０５と、ネットワーク制御部２０６と、出力部２０７とを含む。なお、各部はバス２１０により接続されている。
【００３１】
装置操作部２０１は、プリンタ２００の各種設定項目を操作する機能を有する。装置操作部２０１は、例えば、操作パネルである。
【００３２】
接続情報生成部２０２は、情報端末４００がプリンタ２００に接続するために必要な設定情報を含む２次元コードを生成する機能を有する。また、接続情報生成部２０２は、２次元コードの生成処理実行時に発生する一時的なデータを記憶する機能を有する。
【００３３】
接続情報生成部２０２は、記憶部２０５からプリンタのＩＰアドレス、その他のネットワーク設定情報を取得する。接続情報生成部２０２は、取得した情報をもとに２次元コードを生成する。２次元コードは、例えば、ＱＲコード（登録商標）である。
【００３４】
制御部２０３は、バス２１０を介して各部の動作を制御する機能を有する。制御部２０３は、例えば、ＣＰＵ（Ｃｅｎｔｒａｌ  Ｐｒｏｃｅｓｓｉｎｇ  Ｕｎｉｔ）である。
【００３５】
表示部２０４は、装置操作部２０１を介して行われた操作結果や、印刷処理中のメッセージ等を表示する機能を有する。表示部２０４は、例えば、ディスプレイである。なお、ユーザが表示機能を必要としない場合、プリンタ２００は、表示部２０４を含まなくてもよい。
【００３６】
記憶部２０５は、プリンタ２００に割り当てられたＩＰアドレスおよびその他のネットワーク設定情報を記憶する機能を有する。記憶部２０５は、不揮発性メモリやＲＡＭ（Ｒａｎｄｏｍ  Ａｃｃｅｓｓ  Ｍｅｍｏｒｙ）である。
【００３７】
ネットワーク制御部２０６は、通信網を介してルータ１００と接続する機能を有する。ネットワーク制御部２０６は、例えば、ネットワークコントローラである。
【００３８】
出力部２０７は、接続情報生成部２０２が生成した２次元コードの画像を出力する機能を有する。出力部２０７は、例えば、プリンタの印刷部である。なお、ユーザが２次元コードを紙に出力したくない場合、出力部２０７は、表示部２０４に２次元コードを表示してもよい。
【００３９】
次に、情報端末４００の詳細な構成を図３を参照して説明する。図３は、情報端末４００の第１の実施形態の構成例を示すブロック図である。
【００４０】
図３に示す情報端末４００は、装置操作部４０１と、接続情報解析部４０２と、制御部４０３と、表示部４０４と、記憶部４０５と、ネットワーク制御部４０６と、読み取り部４０７とを含む。なお、各部はバス４１０により接続されている。
【００４１】
装置操作部４０１は、情報端末４００の各種設定項目を操作する機能を有する。装置操作部４０１は、例えば、操作パネルである。
【００４２】
接続情報解析部４０２は、撮像した画像に含まれる接続情報コードを解析し、接続情報を抽出する機能を有する。接続情報解析部４０２は、接続情報コードのコード解析手段である２次元コード解析プログラムをサブルーチンとして含んでいてもよい。２次元コード解析プログラムは、例えば、ＱＲコード解析プログラムである。
【００４３】
制御部４０３は、バス４１０を介して各部の動作を制御する機能を有する。制御部４０３は、例えば、ＣＰＵである。
【００４４】
表示部４０４は、装置操作部４０１を介して行われた操作結果や、印刷処理中のメッセージを表示する機能を有する。表示部４０４は、例えば、ディスプレイである。
【００４５】
記憶部４０５は、情報端末４００の設定を記憶する機能を有する。記憶部４０５は、不揮発性メモリやＲＡＭである。
【００４６】
ネットワーク制御部４０６は、通信網を介してルータ１００と接続する機能を有する。ネットワーク制御部４０６は、例えば、ネットワークコントローラである。
【００４７】
読み取り部４０７は、２次元コードの画像を撮像する機能を有する。読み取り部４０７は、例えば、撮像素子としてＣＣＤ（ｃｈａｒｇｅ‐ｃｏｕｐｌｅｄ  ｄｅｖｉｃｅ）を備えたＣＣＤカメラである。なお、撮像素子は、ＣＭＯＳ（Ｃｏｍｐｌｅｍｅｎｔａｒｙ  Ｍｅｔａｌ Ｏｘｉｄｅ  Ｓｅｍｉｃｏｎｄｕｃｔｏｒ）イメージセンサなど、撮像が可能な素子であればどのような素子でもよい。
【００４８】
以下、本実施形態の接続処理の動作を図４のフローチャートを参照して説明する。図４は、端末装置の第１の実施形態の接続処理の動作を示すフローチャートである。
【００４９】
ユーザは、情報端末４００に接続させたいプリンタの装置操作部２０１の「２次元コード出力」ボタンを押下する（ステップＳ１０１）。
【００５０】
「２次元コード出力」ボタンが押下されたプリンタの接続情報生成部２０２は、記憶部２０５に記憶されているプリンタに割り当てられたＩＰアドレスを取得する。接続情報生成部２０２は、取得したプリンタのＩＰアドレスを含む２次元コードを生成する（ステップＳ１０２）。
【００５１】
なお、接続情報生成部２０２は、プリンタのＩＰアドレスだけでなく、ネットワーク設定情報であるポート番号やプロトコルも加えた上で２次元コードを生成してもよい。その結果、ユーザは、プリンタ接続に必要なポート番号やプロトコルを確認できる。
【００５２】
また、接続情報生成部２０２は、ユーザにより「２次元コード出力」ボタンが押下された時ではなく、ネットワーク制御部２０６がプリンタのＩＰアドレス、プロトコルまたはポート番号など、ユーザにとってプリンタ接続に必要な設定が更新されたことを検知した時に、２次元コードを生成してもよい。その結果、ユーザは、プリンタ接続に必要な設定が更新されたことを確認できる。
【００５３】
出力部２０７は、接続情報生成部２０２が生成した２次元コードを出力する（ステップＳ１０３）。すなわち、出力部２０７は、２次元コードを出力用紙に印刷する。
【００５４】
ステップＳ１０３において出力部２０７が出力する２次元コードの画像の例を図５に示す。図５に示すように、出力用紙には情報端末４００が読み取る対象となるＱＲコードが印字されている。ＱＲコードには、ＱＲコードの印刷を行ったプリンタのＩＰアドレスが含まれている。
【００５５】
ユーザは、情報端末４００の装置操作部４０１の「プリンタ接続」アイコンを押下する（ステップＳ１０４）。「プリンタ接続」アイコンが押下されると、プリンタとの接続確立プログラムが実行される。以降、制御部４０３により、接続確立プログラムの各ステップの処理が実行される。
【００５６】
制御部４０３は、表示部４０４を２次元コード読み取り画面に遷移させる（ステップＳ１０５）。すなわち、ユーザは、表示部４０４を介して読み取り部４０７に面している２次元コードを確認できる。このような状態で、ユーザは、ステップＳ１０３において出力された２次元コードを読み取り部４０７により読み取る（ステップＳ１０６）。
【００５７】
接続情報解析部４０２は、コード解析プログラムを実行し、読み取り部４０７により読み取られた２次元コードに含まれる接続情報コードを解析する（ステップＳ１０７）。接続情報コードの解析により接続情報が抽出された場合（ステップＳ１０８のＹｅｓ）、ネットワーク制御部４０６は、抽出された情報を設定する（ステップＳ１０９）。
【００５８】
その結果、プリンタのＩＰアドレスが設定され、情報端末４００はプリンタに接続することが可能となる。情報が設定された後、情報端末４００は、処理を終了する。
【００５９】
接続情報コードの解析により接続情報が抽出されなかった場合（ステップＳ１０８のＮｏ）、制御部４０３は、表示部４０４に読み取りに失敗した旨を表示する（ステップＳ１１０）。
【００６０】
読み取りに失敗する原因としては、ユーザが情報端末から２次元コードを読み取る際に斜め方向からの撮影の実施、手振れ、または光の反射等により２次元コードの模様が綺麗に写っていないことが考えられる。
【００６１】
表示部４０４の表示から読み取りに失敗したことを認識したユーザは、再度２次元コードの読み取りを行う（ステップＳ１０６）。
【００６２】
本実施形態の端末装置を使用する場合、使用するユーザは、容易に接続したいプリンタを選択できる。その理由は、ユーザが接続したいプリンタを使用して２次元コードを直接出力し、出力された２次元コードを読み取ることで接続設定を行うからである。
【００６３】
本実施形態の端末装置を使用する場合、使用するユーザは、情報端末にプリンタに接続するための設定を容易に行うことができる。その理由は、プリンタが出力する２次元コードにプロトコルやポート番号などプリンタに接続するための設定が含まれており、情報端末に２次元コードを読み取らせるだけでプリンタへの接続設定がなされるため、手動で情報端末に接続設定をする必要がないからである。
【００６４】
本実施形態の端末装置を使用する場合、使用するユーザは、プリンタに動的ＩＰアドレスが割り振られる運用が行われている場合でも、情報端末にプリンタに接続するための設定を適切な時機に容易に行うことができる。その理由は、プリンタに接続するための設定が変更される度にプリンタが２次元コードを出力するため、情報端末に２次元コードを読み取らせるだけで接続設定を変更できるからである。また、ユーザは、プリンタに接続したい時にプリンタから２次元コードを出力させることができるからである。
【００６５】
本実施形態の端末装置を使用する場合、プリンタに固定ＩＰアドレスが割り振られて運用されている場合でも、プリンタに接続したい新たなユーザは、情報端末にプリンタに接続するための設定を容易に行うことができる。その理由は、情報端末にプリンタが出力した２次元コードを読み取らせるだけで接続設定を完了できるからである。
【００６６】
実施形態２．
次に、本発明の第２の実施形態を説明する。図６は、プリンタ２００の第２の実施形態の構成例を示すブロック図である。図７は、情報端末４００の第２の実施形態の構成例を示すブロック図である。
【００６７】
図６に示すように、第１の実施形態と異なる点として、プリンタ２００にＩＰアドレス管理部２０８が含まれている。また、図７に示すように、第１の実施形態と異なる点として、情報端末４００にＩＰアドレス管理部４０８が含まれている。
【００６８】
ＩＰアドレス管理部２０８は、プリンタ２００に接続する情報端末に割り当てるＩＰアドレスを管理する機能を有する。ＩＰアドレス管理部４０８は、２次元コードの読み取りにより取得したＩＰアドレスを適用および保持する機能を有する。
【００６９】
また、本実施形態において、プリンタ２００の記憶部２０５は、複数の情報端末それぞれに対して設定されるＩＰアドレスを管理するＩＰアドレス管理情報を記憶する。図８は、記憶部２０５に保存されているＩＰアドレス管理情報の一例を示す説明図である。
【００７０】
ＩＰアドレス管理情報を使用する場合、プリンタ利用者は、情報端末に割り当てるＩＰアドレスを管理できる。また、プリンタ自身が情報端末に対して動的にＩＰアドレスを設定することもできる。
【００７１】
記憶部２０５に保存されているＩＰアドレス管理情報は、管理番号、割り当て済みＩＰ、サブネットマスク、割当て時刻、制限時間およびＰＩＮ（Ｐｅｒｓｏｎａｌ  Ｉｄｅｎｔｉｆｉｃａｔｉｏｎ  Ｎｕｍｂｅｒ）等から構成される。また、保存されるＩＰアドレス管理情報の数には上限がある。
【００７２】
管理番号は、ＩＰアドレス管理情報を識別する情報である。割り当て済みＩＰは、情報端末がプリンタを利用するために割り当てられた情報端末自身のＩＰアドレスを表す。情報端末に割り当てられるＩＰアドレスは一つである。
【００７３】
サブネットマスクは、情報端末がプリンタを利用するために割り当てられた情報端末自身のサブネットマスクを表す。なお、ＩＰアドレス管理情報は、割り当て済みＩＰおよびサブネットマスク以外のネットワーク設定情報を含んでいてもよい。
【００７４】
割り当て時刻は、接続情報生成部２０２が情報端末に割り当てるＩＰアドレスをＩＰアドレス管理部２０８から取得した時刻を表す。制限時間は、情報端末に割り当てられたＩＰアドレスの有効時間を表す。ＰＩＮコードは、ＩＰアドレスが割り当てられた情報端末の所有者を識別する番号を表す。
【００７５】
以下、本実施形態の接続処理の動作を図９のフローチャートを参照して説明する。図９は、端末装置の第２の実施形態の接続処理の動作を示すフローチャートである。図９のフローチャートは、ＩＰアドレス管理部２０８の処理が加えられた時の、図４のフローチャートのステップＳ１０２において行われる接続情報生成処理の動作を示す。
【００７６】
ユーザは、情報端末４００に接続させたいプリンタの装置操作部２０１の「２次元コード出力」ボタンを押下する（図４のステップＳ１０１）。「２次元コード出力」ボタンが押下されたプリンタの接続情報生成部２０２は、割り当て済みＩＰにＩＰアドレスが割り当てられていないＩＰアドレス管理情報があるか否かを判別する（ステップＳ２０１）。
【００７７】
ＩＰアドレスが割り当てられていないＩＰアドレス管理情報がない場合（ステップＳ２０１のＮｏ）、接続情報生成部２０２は、２次元コード生成処理を行わず処理を完了する。
【００７８】
ＩＰアドレスが割り当てられていないＩＰアドレス管理情報がある場合（ステップＳ２０１のＹｅｓ）、接続情報生成部２０２は、ＩＰアドレス管理部２０８から情報端末４００に割り当てるＩＰアドレスを取得する。ＩＰアドレス管理部２０８は、ＩＰアドレスを接続情報生成部２０２に転送する（ステップＳ２０２）。
【００７９】
ＩＰアドレスを転送した後、ＩＰアドレス管理部２０８は、管理番号が１番小さくＩＰアドレスが割り当てられていないＩＰアドレス管理情報に、割り当てたＩＰアドレスを設定する。ＩＰアドレス管理部２０８は、ＩＰアドレスを割り当てたＩＰアドレス管理情報に割り当て時刻と制限時間を設定する（ステップＳ２０３）。
【００８０】
ＩＰアドレス管理部２０８は、記憶部２０５に記憶されたプリンタのＩＰアドレスを接続情報生成部２０２に転送する（ステップＳ２０４）。接続情報生成部２０２は、ステップＳ２０１〜ステップＳ２０４にて取得した設定情報に対してコード生成プログラムを実行し、２次元コードを生成する（ステップＳ２０５）。
【００８１】
ステップＳ２０５において出力部２０７が出力する２次元コードの画像の例を図１０に示す。図１０に示すように、出力用紙には情報端末４００が読み取る対象となるＱＲコードが印字されている。ＱＲコードには、ＱＲコードの印刷を行ったプリンタのＩＰアドレスと、情報端末４００に設定するＩＰアドレスが含まれている。
【００８２】
接続情報生成部２０２は、２次元コード生成時にＩＰアドレス管理情報に含まれているＰＩＮコードを付加してもよい。その結果、ユーザが情報端末から２次元コードを読み取る時に、情報端末は、ＰＩＮコードを入力させる画面を表示できる。ＰＩＮコードによる認証が行われることで、セキュリティが向上される。
【００８３】
２次元コードを生成した後の処理は、図４に示すフローチャートのステップＳ１０３以降の処理と同様であるため、説明を省略する。第１の実施形態と同様に、本実施形態においても、プリンタが出力した２次元コードを情報端末に読み取らせることで、使用するユーザは、情報端末にプリンタのＩＰアドレスおよびその他のネットワーク設定を容易に設定できる。
【００８４】
また、本実施形態では、情報端末に割り当てたＩＰアドレスが制限時間を越えた場合、プリンタと情報端末からＩＰアドレスおよびその他のネットワーク設定の設定は削除される。その結果、情報端末に割り当てられるＩＰアドレスが競合することを回避できる。
【００８５】
次に、本発明の概要を説明する。図１１は、本発明による端末装置の概要を示すブロック図である。本発明による端末装置１（例えば、プリンタ２００）は、情報端末（例えば、情報端末４００）と通信網を介して通信可能に接続する接続部４（例えば、ネットワーク制御部２０６）と、情報端末が端末装置１に接続するために必要な設定情報を出力させる指示を入力する入力部２（例えば、装置操作部２０１）と、入力部２が指示を入力した時に設定情報を含む画像情報を印刷出力する出力部３（例えば、出力部２０７）とを備える。
【００８６】
そのような構成により、端末装置を使用する場合、使用するユーザは、接続のための画像情報を正確に入力できる。
【００８７】
出力部３は、情報端末から読み取り可能な２次元コードを印刷出力してもよい。
【００８８】
そのような構成により、端末装置を使用する場合、使用するユーザは、プリンタに接続するために必要な設定情報を情報端末に容易に設定できる。
【００８９】
出力部３は、設定情報の内容が変更された時に画像情報を印刷出力してもよい。
【００９０】
そのような構成により、端末装置を使用する場合、使用するユーザは、プリンタに接続するために必要な設定情報が変更されたことを検知できる。
【００９１】
端末装置１は、取得したときから所定時間経過すると設定情報を削除する削除手段を備えていてもよい。
【００９２】
そのような構成により、端末装置を使用する場合、使用するユーザは、情報端末に設定情報が重複して割り当てられることを回避できる。
【符号の説明】
【００９３】
１  端末装置
２  入力部
３  出力部
４  接続部
１００  ルータ
２０、３０、２００、３００  プリンタ
２０１  装置操作部
２０２  接続情報生成部
２０３  制御部
２０４  表示部
２０５  記憶部
２０６  ネットワーク制御部
２０７  出力部
２０８  ＩＰアドレス管理部
２１０  バス
４０、４００  情報端末
４０１  装置操作部
４０２  接続情報解析部
４０３  制御部
４０４  表示部
４０５  記憶部
４０６  ネットワーク制御部
４０７  読み取り部
４０８  ＩＰアドレス管理部
４１０  バス
【図１】
2014201022.tif 000003
【図２】
2014201022.tif 000004
【図３】
2014201022.tif 000005
【図４】
2014201022.tif 000006
【図５】
2014201022.tif 000007
【図６】
2014201022.tif 000008
【図７】
2014201022.tif 000009
【図８】
2014201022.tif 000010
【図９】
2014201022.tif 000011
【図１０】
2014201022.tif 000012
【図１１】
2014201022.tif 000013
【図１２】
2014201022.tif 000014